(57)【要約】【課題】便器に嵌合させた汚物回収袋の使用及び回収が衛生的に行なえる汚物回収袋の便器用受け具を得る。【解決手段】可撓性資材により、便器（１０）の左右幅よりも長い帯状の掛けシート（２）を設け、該掛けシート（２）の長手方向中間部に補強シート（５）を一体的に重ね合わせるとともに、該補強シート（５）の外周部に軸心方向に延びるスリット（６）を形成し、前記掛けシート（２）の長手方向両端部に厚肉の係止体（３）を設ける。また、前記補強シート（５）の面積は、便器（１０）内の溜め水の水面の面積よりも大きくする。【選択図】図２
0003124409.tif 000002
【実用新案登録請求の範囲】
【請求項１】
可撓性資材により、便器（１０）の左右幅よりも長い帯状の掛けシート（２）を設け、該掛けシート（２）の長手方向中間部に補強シート（５）を一体的に重ね合わせるとともに、該補強シート（５）の外周部に軸心方向に延びるスリット（６）を形成し、前記掛けシート（２）の長手方向両端部に厚肉の係止体（３）を設けたことを特徴とする汚物回収袋の便器用受け具。
【請求項２】
補強シート（５）の面積は、便器（１０）内の溜め水の水面の面積よりも大きくしたことを特徴とする請求項１記載の汚物回収袋の便器用受け具。
【考案の詳細な説明】
【技術分野】
【０００１】
本考案は、地震等の災害で使用できなくなった便器に汚物回収袋を嵌合させた際に、該汚物回収袋の底部を受けて該底部を拡開させたり、該底部が便器内の溜め水に浸ったりするのを防止する汚物回収袋の便器用受け具に関するものである。
【背景技術】
【０００２】
使用できなくなった便器に装着する汚物回収袋として、軟質性のポリエチレンにより上面が開口した袋を形成し、該袋の底部に吸水性シートを固着したものがある。該汚物回収袋は、その上部を便器の上縁部に係止した状態でその下部を便器内に嵌合させるようになっている。この場合、前記汚物回収袋は軟質性であるため、排便した際に袋の底部が便の重みで縮小し、便が袋の内周面に付着したり、袋の底部が便器内の溜め水に浸ったりして袋の回収が不衛生になるものであった。
【特許文献１】特開２０００−２４５６５４号公報
【考案の開示】
【考案が解決しようとする課題】
【０００３】
本考案は、便器に嵌合させた汚物回収袋の使用及び回収が衛生的に行なえる汚物回収袋の便器用受け具を得ることを目的とする。
【課題を解決するための手段】
【０００４】
本考案は、上記目的を達成するために以下の如く構成したものである。即ち、請求項１に係る考案は、可撓性資材により、便器の左右幅よりも長い帯状の掛けシートを設け、該掛けシートの長手方向中間部に補強シートを一体的に重ね合わせるとともに、該補強シートの外周部に軸心方向に延びるスリットを形成し、前記掛けシートの長手方向両端部に厚肉の係止体を設ける構成にしたものである。
請求項２に係る考案は、前記補強シートの面積を、便器内の溜め水の水面の面積よりも大きくしたものである。
【考案の効果】
【０００５】
本考案の請求項１に係る考案は、掛けシートの両端部を便器本体の左右から外側に露出させて便器本体の左右上縁部に掛け、この状態で便座を下方に回動（閉じる）させると、前記掛けシートの両端部の係止体が便器本体と便座との外側縁部に係合する。この状態で補強シートを下方に押圧すると、該補強シートの外周部に形成したスリットが拡開し、該外周部が前記便器本体の内面形状に対応して湾曲しつつ、該外周部の全域が便器本体の内面に略均等に接触することになる。このため、前記補強シートは、便器の機種、大きさに左右されることなく、常に安定した水平状態で便器本体内に支持されることになる。そして、次段で汚物回収袋を前記便器本体に嵌合させ、その底部を拡開させると、該底部は前記補強シートにより拡開された状態で支持されることになる。
請求項２に係る考案は、前記補強シートが、便器本体内の溜め水の上方で安定した水平状態となって該便器本体に支持されることになる。このため、次段で前記便器本体に嵌合させた汚物回収袋の底部は前記溜め水に浸ることなく拡開された状態で前記補強シートに支持されることになる。
【考案を実施するための最良の形態】
【０００６】
以下本考案の実施例を図面に基づいて説明する。図において、図１は本考案による便器用受け具の斜視図、図２は便器への取付け前段の状態を示す斜視図、図３は便器への取付け完了状態を示す斜視図、図４は汚物回収袋の便器への装着準備状態を示す斜視図、図５は汚物回収袋の便器装着状態を示す斜視図である。
【０００７】
図１において、１は汚物回収袋の便器用受け具であり、可撓性の掛けシート２、曲げ剛性を比較的高くした係止体３及び補強シート５を有してなる。前記掛けシート２は、可撓性資材、例えばポリエチレン製の不織布により、幅Ｗ１が約２４ｃｍ、長さＬ１が約６４ｃｍの長方形とする。
【０００８】
係止体３及び補強シート５は、厚さ約３ｍｍの発砲プラスチックシートにより形成される。前記係止体３は、細長い長方形状に形成され、掛けシート２の長手方向両端部の裏面に、該掛けシート２の幅方向に延長配置して固着される。
【０００９】
前記補強シート５は、正方形状に形成されて前記掛けシート２の長手方向中間部の上面に固着される。該補強シート５は、後述の便器１０内に貯留される溜め水の水面の面積よりも大きい面積、例えば、幅が前記掛けシート２の幅Ｗ１と等しく、長さＬ２が約２０ｃｍとなる正方形状にするとともに、４角部に軸心方向に延びるスリット６を形成する。また、長さ方向の辺５ａ，５ｂの中心部に長方形状の耳部７を一体に突出形成し、該耳部７の基部に折れ線Ｍを形成してなる。
【００１０】
次に、前記便器用受け具１の使用態様について説明する。図２において、１０は洋式の便器、１１は便器本体、１２は便座、１３は便蓋である。まず、図２に示すように、便器１０の便座１２及び便蓋１３を開き、次いで、便器用受け具１を便器本体１１の幅方向、つまり左右方向に延長配置し、掛けシート２の左右両端部を前記便器本体１１の左右から外側に露出させて該便器本体１１の左右上縁部に掛ける。
【００１１】
次いで、便座１２を下方に回動させて閉じ、前記掛けシート２の両端部の係止体３を便器本体１１と便座１２との外側縁部に係合させる。この状態で補強シート５を水平にした状態で便器本体１１の底部方向に向けて押圧する。さすれば、図３に示すように、補強シート５の外周部に形成したスリット６が拡開し、該外周部が前記便器本体１１の内面形状に対応して湾曲しつつ、該外周部の全域が便器本体１１の内面に略均等に接触することになる。また、耳部７が便器本体１１の内面に摩擦係合して前記補強シート５の水平姿勢を保持することになる。この場合、前記補強シート５の押し込み量は、便器本体１１の溜め水（図示省略）の水面よりも上方位置とする。
【００１２】
次いで、図４、図５に示すように、汚物回収袋１５を容器状に広げて前記便器本体１１に嵌合させ、その底部１５ａを前記補強シート５の上面に載置し、その上縁部１５ｂを便座１２の上面に巻いて係止する。さすれば、前記汚物回収袋１５の底部１５ａが、便器内の溜め水に浸ることなく拡開された状態で前記補強シート５に支持されることになる。このため、排便した際に前記汚物回収袋１５の底部が便の重みで縮小したり、該底部が便器内の溜め水に浸ったりしなくなり、使用した汚物回収袋１５の回収が衛生的に行なえることになる。
【図面の簡単な説明】
【００１３】
【図１】本考案による便器用受け具の斜視図である。
【図２】便器への取付け前段の状態を示す斜視図である。
【図３】便器への取付け完了状態を示す斜視図である。
【図４】汚物回収袋の便器への装着準備状態を示す斜視図である。
【図５】汚物回収袋の便器装着状態を示す斜視図である。
【符号の説明】
【００１４】
１    便器用受け具
２    掛けシート
３    係止体
５    補強シート
６    スリット
７    耳部
１０    便器
１１    便器本体
１２    便座
１３    便蓋
１５    汚物回収袋
１５ａ  底部
１５ｂ  上縁部
【図１】
0003124409.tif 000003
【図２】
0003124409.tif 000004
【図３】
0003124409.tif 000005
【図４】
0003124409.tif 000006
【図５】
0003124409.tif 000007